【手続補正書】
【提出日】平成26年2月21日(2014.2.21)
【手続補正１】
【補正対象書類名】特許請求の範囲
【補正対象項目名】全文
【補正方法】変更
【補正の内容】
【特許請求の範囲】
【請求項１】
マルチモーダル通信システム中で連絡先リスト情報を動的に管理するための、少なくとも部分的にコンピューティングデバイス中で実行される方法であって、
ユーザのプロファイルを決定するステップと、
前記ユーザに対する連絡先リスト中の連絡先に関連する連絡先情報を決定するステップであって、前記連絡先情報は前記連絡先の現在時刻と、前記連絡先の現在の曜日と、前記連絡先の現在の場所と、前記連絡先のアプリケーションの能力と、前記連絡先の過去の通信パターンとを含むステップと、
前記連絡先情報に基づいて前記連絡先のそれぞれに対する重み付き要素を計算するステップと、
各連絡先に関連する前記重み付き要素に基づいて各連絡先に対する全体的な重みを計算するステップと、
前記連絡先リスト中の各連絡先の前記全体的な重みに基づいて前記連絡先リストを順序付けするステップと、
前記順序付けされた連絡先リストを前記ユーザに提示するステップと、
前記連絡先情報への変更に応じて前記重み付け要素を更新するステップと、
前記更新された重み付け要素に基づき前記連絡先リストを動的に並べ替えるステップと
を含むことを特徴とする方法。
【請求項２】
前記ユーザのプロファイルは、前記ユーザによって明示的に定義された関係と、前記ユーザについての現在時刻と、前記ユーザについての現在曜日と、前記ユーザの現在位置と、前記ユーザについてのアプリケーション能力と、前記ユーザについてのデバイス能力と、明示的なユーザ選好とのセットからの少なくとも１つに関連する情報を含むことを特徴とする請求項１に記載の方法。
【請求項３】
前記連絡先情報は、前記連絡先によって明示的に定義された関係と、前記連絡先についてのデバイス能力と、を含むことを特徴とする請求項１に記載の方法。
【請求項４】
前記過去の通信パターンは、通信の頻度と、過去の各通信セッションの継続時間と、過去の各通信セッションについての時刻と、過去の各通信セッションについての曜日と、過去の各通信セッションのモダリティと、過去にスケジュールされた将来のアクティビティのモダリティと、過去の各通信セッションの参加者の人数と、過去の各通信セッションの開始者とのセットからの少なくとも１つを含むことを特徴とする請求項１に記載の方法。
【請求項５】
前記過去の通信セッションと前記過去にスケジュールされた将来のアクティビティとの前記モダリティは、音声通信、ビデオ通信、電子メール会話、インスタントメッセージ会話、データコラボレーションセッション、アプリケーション共有セッション、ホワイトボード共有セッション、マルチモーダル会話、およびマルチモーダル会議のうちの１つを含むことを特徴とする請求項４に記載の方法。
【請求項６】
前記重み付き要素を計算するために前記マルチモーダル通信システムに関連する追加情報を決定するステップをさらに含み、前記追加情報はネットワーク条件と管理規則とうちの少なくとも一方を含むことを特徴とする請求項１に記載の方法。
【請求項７】
前記重み付き要素に基づいて前記連絡先リスト上の連絡先を分類するステップをさらに含むことを特徴とする請求項１に記載の方法。
【請求項８】
前記重み付き要素に基づいて通信頻度の低い連絡先を決定するステップと、
前記通信頻度の低い連絡先に関するリマインダをユーザに提供するステップと
をさらに含むことを特徴とする請求項１に記載の方法。
【請求項９】
前記通信頻度の低い連絡先を前記連絡先リストから自動的に除去するステップをさらに含むことを特徴とする請求項８に記載の方法。
【請求項１０】
マルチモーダル通信システム中で連絡先リストを動的に管理するための通信システムであって、
サーバを有し、該サーバは、
ユーザのプロファイルを決定し、
前記ユーザに対する連絡先リスト中の連絡先に関連する連絡先情報を決定し、前記連絡先情報は前記連絡先の現在時刻と、前記連絡先の現在の曜日と、前記連絡先の現在の場所と、前記連絡先のアプリケーションの能力と、前記連絡先の過去の通信パターンとを含み、前記過去の通信パターンは、通信の頻度、過去の各通信セッションの長さ、過去の各通信セッションの時刻、過去の各通信セッションの曜日、過去の各通信セッションのモダリティ、過去に計画された将来のアクティビティのモダリティ、過去の各通信セッションの参加者数、または過去の各通信セッションの開始者のうちの一を含み、
前記連絡先情報に基づいて前記連絡先のそれぞれに対する重み付き要素を計算し、
各連絡先に関連する前記重み付き要素に基づいて各連絡先に対する全体的な重みを計算し、
前記連絡先リスト中の各連絡先の前記全体的な重みに基づいて前記連絡先リストを順序付け、
前記ユーザに関連する通信アプリケーションに対して前記連絡先リストを統一連絡先ストア中で利用可能にし、前記連絡先リストが前記通信アプリケーションの能力に基づいて再順序付けされ、
前記連絡先情報への変更に応じて前記重み付け要素を更新し、
前記更新された重み付け要素に基づき前記連絡先リストを動的に並べ替える
ように構成された、通信システム。
【請求項１１】
前記サーバは、前記連絡先のそれぞれに対する前記全体的な重みを計算するために連絡先リストキャッシュを維持し、前記キャッシュは、前記ユーザに関連する複数のアプリケーションおよびデバイスによって共有される請求項１０に記載のシステム。
【請求項１２】
前記ユーザに関連する前記複数のアプリケーションおよびデバイスには、前記連絡先の前記重み付き要素および前記全体的な重みの前記計算を修正するためのユーザインタフェースが設けられたことを特徴とする請求項１１に記載のシステム。
【請求項１３】
通信システム中で連絡先リスト情報を動的に管理するためのコンピュータプログラムであって、プロセッサにより実行されると、前記プロセッサに、
ユーザのプロファイルを決定するステップと、
前記ユーザに対する連絡先リスト中の連絡先に関連する連絡先情報を決定するステップであって、前記連絡先情報は前記連絡先の現在時刻と、前記連絡先の現在の曜日と、前記連絡先の現在の場所と、前記連絡先のアプリケーションの能力と、前記連絡先の過去の通信パターンとを含むステップと、
前記ユーザと前記連絡先との間の過去の通信セッションに関連する追加情報を決定するステップであって、前記追加情報は、通信の頻度、過去の各通信セッションの長さ、過去の各通信セッションの時刻、過去の各通信セッションの曜日、過去の各通信セッションのモダリティ、過去に計画された将来のアクティビティのモダリティ、過去の各通信セッションの参加者数、または過去の各通信セッションの開始者のうちの一を含み、
前記ユーザのプロファイル、前記連絡先情報、および前記追加情報に基づいて、前記連絡先のそれぞれに対する重み付き要素を計算するステップと、
各連絡先に関連する前記重み付き要素に基づいて各連絡先に対する全体的な重みを計算するステップと、
各連絡先に対する前記重み付き要素および前記全体的な重みを、拡張可能スキーマに従って連絡先オブジェクト中で動的に維持するステップと、
前記連絡先オブジェクトを使用して前記連絡先リストを順序付けするステップと、
前記順序付けされた連絡先リストを前記ユーザに提示するステップと、
前記連絡先情報への変更に応じて前記重み付け要素を更新するステップと、
前記更新された重み付け要素に基づき前記連絡先リストを動的に並べ替えるステップと
を実行させる、コンピュータプログラム。
【請求項１４】
前記ユーザのプロファイル、前記連絡先情報、および前記追加情報を決定するステップは、前記ユーザに関連する複数の通信およびコラボレーションアプリケーションからデータを取り出すステップを含む、請求項１３に記載のコンピュータプログラム。
【請求項１５】
前記プロセッサに、前記ユーザのプロファイル、前記連絡先情報、および前記追加情報に基づいて、新しい連絡先を追加するステップ、通信頻度の低い連絡先を除去するステップ、および通信頻度の低い連絡先に関するリマインダをユーザに提供するステップのうちの１つを実行させる、請求項１３に記載のコンピュータプログラム。